(57)【特許請求の範囲】
【請求項１】
遊技の進行に伴って動作する遊技装置と、着脱可能に設けられた記憶媒体を有するとともに前記遊技装置の動作を制御する制御回路が形成された制御基板とを備えた遊技機であって、
前記記憶媒体の取り外しを検出し、前記記憶媒体が取り外されたことを検出すると、取付状態を示す取付論理値から取外状態を示す取外論理値へ信号値が変更される媒体状態信号を出力する媒体取外検出手段と、
前記媒体取外検出手段から出力される媒体状態信号を監視し、当該媒体状態信号に基づいて、前記記憶媒体が取り外されたか否かを判定する媒体取外監視ユニットと、
前記記憶媒体が取り外されたことを報知するための媒体取外報知手段と、
前記媒体取外監視ユニットによって、前記記憶媒体が取り外されたと判定されると、前記媒体取外報知手段を制御して、前記記憶媒体の取り外しを報知する動作を前記媒体取外報知手段に行わせる報知動作制御手段とを備え、
前記媒体取外監視ユニットは、
所定の検出開始信号を受信すると、前記媒体取外検出手段からの媒体状態信号を監視する監視動作を開始し、媒体状態信号の信号値が取付論理値から取外論理値へ変更されるのに応じて、正常状態を示す正常論理値から異常状態を示す異常論理値へ信号値が変更される警報信号を出力する媒体取外監視手段と、
この媒体取外監視手段に独立して電力を供給することが可能な電力供給源と、
前記媒体取外監視手段及び前記電力供給源を外部から操作できないように、前記媒体取外監視手段及び前記電力供給源を内部に包み込む部材で前記媒体取外監視手段及び前記電力供給源を封止する封止手段とを有し、
且つ、前記制御基板に着脱可能に設けられたものであり、
前記報知動作制御手段には、前記媒体取外監視ユニットに関する情報を含む情報信号を当該媒体取外監視ユニットから受け、この情報信号に基づいて、当該媒体取外監視ユニットが取り外されたか否かの判定を行う監視ユニット取外判定手段が設けられ、
前記報知動作制御手段は、前記監視ユニット取外判定手段によって、前記媒体取外監視ユニットが取り外されたと判定されると、前記記憶媒体の取り外しを報知する動作を前記媒体取外報知手段に行わせるように形成されていることを特徴とする遊技機。
【請求項２】
前記媒体取外監視ユニットには、
一定の周期で所定の電気パルスを発する発振器と、
この発振器の発する電気パルスの数を計数する発振数カウンタと、
この発振数カウンタが計数した計数値を監視ユニット側記憶値として記憶するための監視ユニット側記憶部と、
所定の記憶指令信号を受信すると、その時点における前記発振数カウンタの計数値を前記報知動作制御手段に知らせるとともに、前記報知動作制御手段に知らせた計数値を前記監視ユニット側記憶部に記憶させる計数値処理部とが設けられ、
前記監視ユニット取外判定手段には、
前記計数値処理部によって知らされた前記発振数カウンタの計数値を制御手段側記憶値として記憶する制御手段側記憶部と、
前記媒体取外監視ユニットに記憶されている監視ユニット側記憶値を知らせることを前記媒体取外監視ユニットに対して要求する記憶値要求信号を前記媒体取外監視ユニットへ所定周期毎に送る記憶値要求手段と、
前記媒体取外監視ユニットから監視ユニット側記憶値が知らされると、知らされた監視ユニット側記憶値を、前記制御手段側記憶部に記憶されている制御手段側記憶と比較する記憶値比較手段とが設けられ、
前記監視ユニット取外判定手段は、前記記憶値比較手段が比較した結果、知らされた監視ユニット側記憶値が、前記制御手段側記憶部に記憶されている制御手段側記憶値と相違している場合、前記媒体取外監視ユニットが取り外されたと判定するように形成されたものであり、
前記報知動作制御手段は、前記監視ユニット取外判定手段によって、前記媒体取外監視ユニットが取り外されたと判定されると、前記記憶媒体の取り外しを報知する動作を前記媒体取外報知手段に行わせるように形成されていることを特徴とする請求項１記載の遊技機。
【発明の詳細な説明】
【技術分野】
【０００１】
本発明は、遊技の進行に伴って動作する遊技装置と、着脱可能に設けられた記憶媒体を有するとともに前記遊技装置の動作を制御する制御回路が形成された制御基板とを備えた遊技機に関する。
【背景技術】
【０００２】
従来から、スロットマシン等の遊技機は、遊技を行うのに必要な遊技装置、遊技装置の動作を制御する制御回路を有する主制御装置、遊技の演出を行う液晶表示装置等の演出装置の動作を制御する制御回路を有する副制御装置、及び、遊技装置及び制御基板に電力を供給する電源装置等を備えたものとなっている。
このうち、主制御装置及び副制御装置等の制御装置は、遊技動作を制御するプログラムを記憶したＲＯＭ、及び、高速演算機能を有するＬＳＩ等からなるＣＰＵ等のハードウェアを備え、ＲＯＭに記憶されたプログラム等のソフトウェアをＣＰＵで実行することで制御を行うものとなっている。
このため、メダル等の遊技媒体を容易に獲得することができる不正なプログラムが書き込まれたＲＯＭに交換されると、多量の遊技媒体が不正に獲得されてしまう。
【０００３】
このような不正行為を防止するために、制御装置の主要部である制御回路が形成された回路基板を収納する箱状の基板ケースを設け、内部に回路基板を入れて閉じた基板ケースを封印、又は、封止しするようにした遊技機が知られている。
このような遊技機では、ＲＯＭの交換のために、基板ケースを開く際に、封印を剥がす又は封止を破ると、その痕跡が物理的に残るようになっており、この痕跡によってＲＯＭが交換されたことが判別でき、これにより、ＲＯＭの不正交換防止を図る物理的対策が講じられている（例えば、特許文献１参照）。
【０００４】
このような痕跡に基づく物理的な対策では、封印を剥がす、又は、封止を解除する際に、痕跡が残らないように丁寧な処理を行うと、痕跡の発見が難しくなり、視認がしにくくなり、ＲＯＭの不正交換防止が十分に図れないおそれがある。
さらに、各メーカーでは、遊技機の部品は汎用性や量産性を高められ、基板ケースについても、その金型が複数機種にわたって共通とされているため、金型のデッドコピーによって偽物基板ケースが製作され、この偽物基板ケースよる大規模な不正行為が行われるおそれがある。
【０００５】
そこで、ＩＣソケットにＲＯＭを取り付け、この状態でＲＯＭ及びＩＣソケットに電線を巻き付け、ＲＯＭを取り外すと、電線が断線するようにしておき、さらに、この断線を検出する電気回路である断線検出部を設け、ＲＯＭが取り外されると、電線が断線し、断線検出部からその旨を示す断線信号を出力させ、これにより、ＲＯＭの不正交換防止を図る電気的対策が提案されている（例えば、特許文献２参照）。
このような電線の切断に基づく電気的な対策では、遊技機の電源ＯＦＦ時に、電線が断線したことを断線検出部に検出させるとともに、制御装置に設けられているＲＡＭに、断線信号が出力されたことを記憶させるために、断線検出部及びＲＡＭに電力を、常に、供給するためのバックアップ電源が用意されている。これにより、遊技機の停止時、すなわち、遊技機の電源ＯＦＦ時に、制御装置のＲＯＭが取り外されると、電線が断線し、断線検出部から断線信号が出力され、断線信号が出力されたことがＲＡＭに記憶される。
そして、遊技機が起動されると、ＲＯＭが不正交換されたことが遊技機の液晶表示装置等を通じて報知されるので、これにより、ＲＯＭの不正交換が報知可能となり、ＲＯＭの不正交換よるメダルの不正獲得が防止できるようになる。
【０００６】
上述のような電線の切断に基づく電気的な対策によれば、ＲＯＭが取り外されたことを電線の断線で検出するので、基板ケースに施した封印を剥がす又は封止を破ることにより生じる痕跡が生じなくとも、また、偽物基板ケースを利用したとしても、ＲＯＭの不正交換を検出して報知することが可能となり、ＲＯＭの不正交換よってメダルの不正獲得を未然に防止することができる。
【先行技術文献】
【特許文献】
【０００７】
【特許文献１】特開平１１−１９３１０号公報
【特許文献２】特開２００９−８２４５４号公報
【発明の概要】
【発明が解決しようとする課題】
【０００８】
前述のような電線の切断に基づく電気的な対策が施された遊技機では、ROMを取り付けるにあたり、ＲＯＭ及びＩＣソケットに電線を巻き付ける必要があるので、ＲＯＭの取付作業が繁雑となって時間がかかる。従って、記憶媒体の取付作業を繁雑にすることなく、記憶媒体の不正交換の防止を十分に図れるようにしたい、という要望がある。
【０００９】
そこで、各請求項にそれぞれ記載された各発明は、上記した従来の技術の有する問題点に鑑みてなされたものであり、その目的とするところは、記憶媒体の取付作業を繁雑にすることなく、記憶媒体の不正交換の防止が十分に図れる遊技機を提供することである。
【課題を解決するための手段】
【００１０】
各請求項にそれぞれ記載された各発明は、前述の目的を達成するためになされたものである。以下に、各発明の特徴点を、図面に示した発明の実施の形態を用いて説明する。
なお、符号は、発明の実施の形態において用いた符号を示し、本発明の技術的範囲を限定するものではない。
【００１１】
（請求項１）
（特徴点）
請求項１記載の発明は、次の点を特徴とする。
すなわち、請求項１に記載された発明は、遊技の進行に伴って動作する遊技装置(4E)と、着脱可能に設けられた記憶媒体(17)を有するとともに前記遊技装置(4E)の動作を制御する制御回路が形成された制御基板(16)とを備えた遊技機(１)であって、前記記憶媒体(17)の取り外しを検出し、前記記憶媒体(17)が取り外されたことを検出すると、取付状態を示す取付論理値から取外状態を示す取外論理値へ信号値が変更される媒体状態信号を出力する媒体取外検出手段(18)と、前記媒体取外検出手段(18)から出力される媒体状態信号を監視し、当該媒体状態信号に基づいて、前記記憶媒体(17)が取り外されたか否かを判定する媒体取外監視ユニット(30)と、前記記憶媒体(17)が取り外されたことを報知するための媒体取外報知手段(4E)と、前記媒体取外監視ユニット(30)によって、前記記憶媒体(17)が取り外されたと判定されると、前記媒体取外報知手段(4E)を制御して、前記記憶媒体(17)の取り外しを報知する動作を前記媒体取外報知手段(4E)に行わせる報知動作制御手段(16E) とを備え、前記媒体取外監視ユニット(30)は、所定の検出開始信号を受信すると、前記媒体取外検出手段(18)からの媒体状態信号を監視する監視動作を開始し、媒体状態信号の信号値が取付論理値から取外論理値へ変更されるのに応じて、正常状態を示す正常論理値から異常状態を示す異常論理値へ信号値が変更される警報信号を出力する媒体取外監視手段(41)と、この媒体取外監視手段(41)に独立して電力を供給することが可能な電力供給源(43)と、前記媒体取外監視手段(41)及び前記電力供給源(43)を外部から操作できないように、前記媒体取外監視手段(41)及び前記電力供給源(43)を内部に包み込む部材で前記媒体取外監視手段(41)及び前記電力供給源(43)を封止する封止手段(31)とを有し、且つ、前記制御基板(16)に着脱可能に設けられたものであり、
前記報知動作制御手段(16E) には、前記媒体取外監視ユニット(30)に関する情報を含む情報信号を当該媒体取外監視ユニット(30)から受け、この情報信号に基づいて、当該媒体取外監視ユニット(30)が取り外されたか否かの判定を行う監視ユニット取外判定手段(45)が設けられ、前記報知動作制御手段(16E) は、前記監視ユニット取外判定手段(45)によって、前記媒体取外監視ユニット(30)が取り外されたと判定されると、前記記憶媒体(17)の取り外しを報知する動作を前記媒体取外報知手段(4E)に行わせるように形成されていることを特徴とする。
【００１２】
（請求項２）
（特徴点）
請求項２記載の発明は、前述した請求項１記載の発明において、次の特徴点を備えているものである。
すなわち、請求項２記載の発明は、前記媒体取外監視ユニット(30)には、一定の周期で所定の電気パルスを発する発振器と、この発振器の発する電気パルスの数を計数する発振数カウンタと、この発振数カウンタが計数した計数値を監視ユニット側記憶値として記憶するための監視ユニット側記憶部(41A) と、所定の記憶指令信号を受信すると、その時点における前記発振数カウンタの計数値を前記報知動作制御手段(16E) に知らせるとともに、前記報知動作制御手段(16E) に知らせた計数値を前記監視ユニット側記憶部(41A) に記憶させる計数値処理部(42)とが設けられ、前記監視ユニット取外判定手段(45)には、前記計数値処理部(42)によって知らされた前記発振数カウンタの計数値を制御手段側記憶値として記憶する制御手段側記憶部(45B) と、前記媒体取外監視ユニット(30)に記憶されている監視ユニット側記憶値を知らせることを前記媒体取外監視ユニット(30)に対して要求する記憶値要求信号を前記媒体取外監視ユニット(30)へ所定周期毎に送る記憶値要求手段(45C) と、前記媒体取外監視ユニット(30)から監視ユニット側記憶値が知らされると、知らされた監視ユニット側記憶値を、前記制御手段側記憶部(45B) に記憶されている制御手段側記憶と比較する記憶値比較手段(45C) とが設けられ、前記監視ユニット取外判定手段(45)は、前記記憶値比較手段(45C) が比較した結果、知らされた監視ユニット側記憶値が、前記制御手段側記憶部(45B) に記憶されている制御手段側記憶値と相違している場合、前記媒体取外監視ユニット(30)が取り外されたと判定するように形成されたものであり、前記報知動作制御手段(16E) は、前記監視ユニット取外判定手段(45)によって、前記媒体取外監視ユニット(30)が取り外されたと判定されると、前記記憶媒体(17)の取り外しを報知する動作を前記媒体取外報知手段(4E)に行わせるように形成されていることを特徴とするものである。
【発明の効果】
【００１３】
以上のように構成されている本発明は、記憶媒体の取り外しを検出する媒体取外検出手段として、記憶媒体の取り外しによって、取付状態を示す取付論理値から取外状態を示す取外論理値へ信号値が変更される媒体状態信号を出力するものを採用したので、記憶媒体が取り外されると、その媒体状態信号の信号値が取外論理値となり、媒体状態信号の信号値を監視することで、記憶媒体の不正取外をリアルタイムで検出することができる。
従って、記憶媒体を制御基板に取り付けるにあたり、記憶媒体に電線を巻き付ける必要がなく、記憶媒体の取付作業が煩雑にならない。このため、記憶媒体の取付作業を繁雑にすることなく、記憶媒体の不正交換の防止を十分に図ることができ、以上により、前記目的が達成される。
【図面の簡単な説明】
【００１４】
【図１】本発明の第１実施形態の全体を示す正面図である。
【図２】前記実施形態に係る筐体内部を示す正面図である。
【図３】前記実施形態に係る副基板ケースを示す斜視図である。
【図４】前記実施形態に係る副基板ケースを示す分解斜視図である。
【図５】前記実施形態に係るＲＯＭ取外監視ユニットを示す斜視図である。
【図６】図５のIV−IV線における断面図である。
【図７】前記実施形態に係るＲＯＭ取外監視ユニットを示す分解斜視図である。
【図８】前記実施形態に副制御基板の概略構成を示すブロック図である。
【図９】本発明の第２実施形態の動作を説明するフローチャートである。
【図１０】前記第２実施形態の動作を説明するタイムチャートである。
【発明を実施するための形態】
【００１５】
以下に、本発明を実施するための形態である第１実施形態について、図面を参照しながら説明する。
［第１実施形態］
（スロットマシン１の概要）
図１には、本発明の第１実施形態に係る遊技機としてのスロットマシン１が示されている。図１において、スロットマシン１は、三個の回転リール11の各々に記された複数種類の図柄が所定の組み合わせとなるように、回転している回転リール11を停止させる遊技を行うものである。このスロットマシン１には、図１に示すように、当該スロットマシン１の各種装置を収納するとともに、正面形状が長方形となった筐体２が備えられている。
筐体２は、前面全体が開口された箱状の部材である。そして、筐体２の前面開口は、当該筐体２に回動可能に取り付けられた前扉３で塞がれるようになっている。なお、前扉３は、閉じられると、自動的に施錠されるようになっている。
【００１６】
前扉３は、その前面をほぼ二分する上部パネル部４及び下部パネル部５を備えたものとなっている。そして、下部パネル部５の下方には、入賞時に払い出されるメダルを貯留する受皿部6Aが一体成形された受皿ユニット６が設けられている。また、また、上部パネル部４と下部パネル部５との間には、遊技に係る操作を行うための操作卓７が遊技者側に突出するように形成されている。
ここで、上部パネル部４及び下部パネル部５は、意匠的に優れた外観を確保するために、合成樹脂製の化粧板が表面に張り付けられたものとなっている。
【００１７】
（上部パネル部４）
上部パネル部４には、図１中、操作卓７の上方且つ幅方向の中央部分において長方形状に形成された表示窓4Aが設けられている。
ここで、筐体２内部に設けられた三個の回転リール11の各々は、その外周面に複数種類の図柄（図示略）が記されている。そして、各回転リール11の図柄は、筐体２の外部から表示窓4Aを通して目視可能となっている。
【００１８】
上部パネル部４の上端縁部分には、正面形状が逆台形状に形成された演出用照明装置4Bが設けられている。この演出用照明装置4Bは、上部パネル部４の上端縁部分のほぼ中央に配置されている。演出用照明装置4Bの両端部は、上部パネル部４の角隅部分まで達することなく、その手前の位置で途切れたものとなっている。
また、上部パネル部４の上側における両角近傍には、正面形状が湾曲した帯状に形成されるとともに、漢数字の「八」を描く一対の演出用照明装置4Cが設けられている。これらの演出用照明装置4Cの各々は、その上端部が演出用照明装置4Bの端部近傍に配置されるとともに、その下端側の部分が上部パネル部４の側縁へ向かって斜め下方に延びたものとなっている。
さらに、上部パネル部４の両方の側縁には、演出用照明装置4Cの下端に接続された別の演出用照明装置4Dがそれぞれ設けられている。これらの演出用照明装置4Dの各々は、演出用照明装置4Cと同様に、上下方向に細長い帯状に形成されたものであり、演出用照明装置4Cの下端から、上部パネル部４の側縁に沿って延び、操作卓７の直近まで達するものとなっている。
これらの演出用照明装置4B〜4Dの各々は、赤色のレンズの内部に配置された高輝度発光ダイオード等の光源を備え、遊技の進行に応じて、その光源の点灯又は点滅により、遊技における視覚的な演出効果を高めるものである。
【００１９】
表示窓4A及び演出用照明装置4Bの間には、遊技の演出用画像を表示する液晶表示装置4Eが設けられている。この液晶表示装置4Eは、動画を含む様々な画像を、遊技の進行に応じて表示するものである。
液晶表示装置4Eの両側には、遊技に係る効果音を発生するスピーカを備えた音声出力部4Fがそれぞれ設けられている。
【００２０】
（操作卓７）
操作卓７は、遊技における操作に必要な各種のスイッチ類が配置されたものである。
すなわち、操作卓７における図１中右端の部分には、前扉３の施錠を解除するための鍵が挿入される鍵穴7Aが設けられている。この鍵穴7Aの左斜め上方には、メダルを投入するためのメダル投入口7Bが開口されたメダル投入部7Cが設けられている。
メダル投入口7Bの左斜め下方には、三個の回転リール11のそれぞれを停止させる際に操作される三個のストップスイッチ7Dが設けられている。これら三個のストップスイッチ7Dのうち、左端に配置されているストップスイッチ7Dの左斜め上方には、一度の操作で最大枚数のメダルを賭けることができるマックスベットスイッチ7Eが設けられている。
また、左端のストップスイッチ7Dの左方であって、マックスベットスイッチ7Eの左斜め下方の位置には、三個の回転リール11を一斉に回転させる際に操作されるスタートレバー7Fが設けられている。このスタートレバー7Fの左斜め上方には、１回の操作で貯留されているメダルを１枚賭けることのできる、換言すると、メダルを１枚ずつ賭ける際に操作されるベットスイッチ7Gが設けられている。
さらに、ベットスイッチ7Gの左斜め下方には、精算時に貯留されているメダルを払い出させる精算スイッチ7Hが設けられている。
【００２１】
（下部パネル部５及び受皿ユニット６）
下部パネル部５には、スロットマシン１のモデルタイプを表す象徴するキャラクタ等が描かれたパネル5Aが設けられている。
受皿ユニット６には、メダルを貯留する前述の受皿部6Aに加えて、入賞時に受皿部6Aへ向かって払い出されるメダルを排出させるメダル払出口6Bと、遊技に係る効果音を発生するスピーカを備えた音声出力部6Cとが設けられている。
【００２２】
（筐体２に収納されている内部装置）
次いで、筐体２の内部に設けられている内部装置について簡単に説明する。
筐体２の内部には、図２に示すように、スロットマシン１の遊技動作を制御するマイクロコンピュータからなるＣＰＵを備えた図示しない主制御基板を内蔵する主基板ケース2D、三個の回転リール11が回転自在に支持するとともに、これらの回転リール11のそれぞれを駆動する図示しないモータを備えたリールユニット10、内部に多数のメダルを貯留させる容器部12Aを備えるとともに受皿部6Aに向かってメダルを排出するホッパユニット12、及び、これらの装置に電力を供給する電源装置13等が設けられている。
【００２３】
このうち、リールユニット10は、それぞれが円筒状に形成された複数の回転リール11を有するものである。そして、これらの回転リール11の各外周面には、特に図示していないが、複数種類の図柄が記されている。
また、電源装置13の前面には、スロットマシン１全体への電力供給のＯＮ／ＯＦＦ操作を行うための電源スイッチ13A が設けられている。
以上において、主制御基板15は、スロットマシン１の遊技動作を制御する制御回路が形成されている制御基板となっている。
【００２４】
前扉３の裏側の面には、表側の面に配置された液晶表示装置4Eに対応して、液晶表示装置4E、演出用照明装置4B〜4D及び音声出力部4F, 6Cの動作を制御する後述の副制御基板16を内蔵する副基板ケース20が設けられている。
また、前扉３の裏側の面には、表側の面に開口されたメダル投入口7Bに対応して、投入されたメダルの適否を判定するメダルセレクタ14が設けられている。
【００２５】
（主制御基板15）
以下に、主制御基板15について説明する。この主制御基板15は、その構成・機能が従来のものとほぼ同等なので、以下の説明では、その構成・機能の概略を述べる。
主制御基板15は、各種の処理を行うＣＰＵ、制御用のプログラムを記憶したＲＯＭ、処理に必要なデータを記憶するＲＡＭ、及び、外部との信号の送受信を行うための送受信ポートを備えたＩ／Ｏ部等を備えたものとなっている。
このような主制御基板15は、遊技における当選役の抽選処理など、遊技動作に関する処理を中心的に行うものであり、主制御基板15の処理により決定された当選役の抽選結果、入賞結果及び遊技状態等の各種遊技情報を、適宜、副制御基板16に送信する機能を備えている。
主基板ケース2Dは、主制御基板15を収容し、上述した主制御基板15を不正から保護するために、後述する副基板ケース20と同様に、外部から主制御基板15へのアクセスが行われた痕跡が残るように所謂カシメによる封止部2Eを備えている。
【００２６】
(副基板ケース20)
次に、前述の副基板ケース20について説明する。
すなわち、副基板ケース20は、図３及び図４に示すように、副制御基板16を内部に収納可能な箱状に形成された本体部21と、この本体部21を筐体２に取り付けるために、直方体状の箱状に形成された取付ベース22とを有するものとなっている。
【００２７】
本体部21は、図４の如く、副制御基板16が取り付けられるベース部23と、ベース部23に取り付けられた副制御基板16の全面を覆う蓋部24とを有するものである。
これらのベース部23及び蓋部24は、内部に収納した副制御基板16の全体を覆って保護するものであり、図示しないネジで相互に接合されるようになっている。
【００２８】
ベース部23は、長方形状の平面形状を有するものである。ベース部23の四つの角部23A 〜23D、及び、図４中上方の端縁中央部23E には、それぞれから蓋部24へ向かって突出するボス23F が設けられている。
このボス23F は、蓋部24側に設けられた後述する凹部24Fの底に形成されているネジ挿通孔（図示略）に挿通されるネジを螺合させ、これにより、蓋部24をベース部23に接合させるためのものである。
また、ベース部23における図４中左右の側縁部23G の各々には、その下端から側方へ突出する耳部23H と、その上端から側方へ突出する係止鉤部23J とが設けられている。なお、図４には、図４中、右方の側縁部23G に設けられた係止鉤部23J のみが記され、左方の係止鉤部23J については記載が省略されている。
耳部23H には、取付ベース22に螺合させる図示しないネジが挿通されるネジ挿通孔23K が形成されている。
係止鉤部23J は、取付ベース22側の後述する係止輪部22A と係合する、Ｌ字形に折れ曲がった部位である。なお、図４には、図４中、右方の耳部23H のネジ挿通孔23K のみが記され、左方のネジ挿通孔23K については記載が省略されている。
【００２９】
蓋部24は、図４中、ベース部23に対向するとともにベース部23に応じた大きさの天井部24A を有している。この天井部24A は、図４中、右上の角部が欠けた長方形状のものとなっている。
天井部24A における残った三つの角部24B 〜24D 、及び、図４中上方の端縁中央部24E には、円筒状に凹んだ凹部24F が設けられている。この凹部24F の底には、ベース部23側のボス23F と螺合する図示しないネジが挿通される、図示しないネジ挿通孔が設けられている。
ここで、蓋部24における角部が欠けた部分は、二つの側面が交差する入隅部24G となっている。入隅部24G の二つの側面には、当該側面から突出するとともに、当該側面におけるベース部23側の端縁に沿った段付部24H が形成されている。
【００３０】
このような入隅部24G には、当該入隅部に応じた形状に形成された結合部材25が嵌め込まれるようになっている。
結合部材25は、蓋部24に設けられているのと同じ凹部24F が形成されているとともに、段付部24H を係止する図示しない係止部が設けられている。
【００３１】
また、蓋部24における入隅部24G の近傍部分には、その表面が周囲よりも凹んだ凹部24J が形成されている。この凹部24J には、特に図示しないが、その底部の裏側の面からベース部23側へ向かって突出するとともに、当該裏側の面の周縁に沿って筒状に形成された筒状部が設けられている。この筒状部の内部には、金属製等の電気伝導体からなる導電部26が嵌め込まれている。
【００３２】
さらに、蓋部24における、図３中、凹部24J の下方の部位には、副制御基板16に設置されている後述するＲＯＭ17を押圧するために、図３中、手前側の表面では凹んでいるとともに、その裏側では、副制御基板16側へ向かって膨出するように形成された押さえ部24K が設けられている。
そして、蓋部24の図３中左右の側縁部分には、副制御基板16に設けられた後述するコネクタ16A, 16Bを外部に露出させるためのコネクタ用開口部24L, 24Mが形成されている。
このうち、図３中左方の側縁部分に形成されているコネクタ用開口部24L は、図３中上下方向に細長く形成されたコネクタカバー部材27によって塞がれるようになっている。なお、コネクタカバー部材27には、当該コネクタ16A に接続される図示しないケーブルを外部へ取り出すためのケーブル挿通孔27A が形成されている。
【００３３】
以上のようなベース部23及び蓋部24は、蓋部24の入隅部に結合部材25が嵌め込まれた状態で、蓋部24及び結合部材25に形成された凹部24F のネジ挿通孔にネジが挿通され、ネジ挿通孔に挿通されたネジがベース部23に設けられたボス23B に螺合されることで、互いに接合され、閉じられるようになっている。
この際、副制御基板16には、ベース部23に設けられたボス23B に対応して、ネジが挿通されるネジ挿通孔16C が形成され、ベース部23及び蓋部24を相互に接合するにあたり、ベース部23及び蓋部24の間に配置され、ベース部23及び蓋部24を相互に接合するネジがネジ挿通孔16C され、ベース部23及び蓋部24をネジの接合と同時に、ベース部23に接合され、その内部に固定されるようになっている。
そして、ベース部23及び蓋部24を相互に接合するネジが内部に入った凹部24F は、筒状のカシメ部材28で塞がれるようになっている。これにより、ベース部23及び蓋部24を相互に接合するネジは、蓋部24における凹部24F の周辺部分、及び、カシメ部材28の少なくとも一方を破壊しないと、ボス23B への螺合を解除できないようになっている。
【００３４】
取付ベース22は、図３中裏側を向いた面が開口された箱状に形成されたものである。取付ベース22は、裏側の開口から液晶表示装置4Eの液晶パネルがその内部に嵌め込まれ、当該液晶表示装置4Eの液晶パネルを収納するようになっている。
この取付ベース22には、図３中、左方の側縁及び右方の側縁のそれぞれから左方及び右方へ突出する耳部22C が設けられている。なお、図４には、図４中、右方の側縁に形成された耳部22C のみが記され、左方の右方の側縁に形成された耳部22C については記載が省略されている。
これらの耳部22C の各々は、前扉３の裏側に螺合させる図示しないネジが挿通される図示しないネジ挿通孔が底部に形成された凹部22D を備えたものとなっている。
また、取付ベース22には、ベース部23側の耳部23H に形成されたネジ挿通孔23K に挿通された図示しないネジを螺合させるネジ孔22B と、ベース部23側の係止鉤部23J を係合させるために、リング状に形成された前述の係止輪部22A と、図３中左側のネジ孔22B の近傍に配置されるとともに、金属フイルム等の電気伝導体からなる導電部22E とが設けられている。
【００３５】
本体部21は、ベース部23の係止鉤部23J が係止輪部22A に係止された状態で、耳部23H のネジ挿通孔23K に挿通された図示しないネジをネジ孔22Bに螺合させることで、取付ベース22に取り付けられるようになっている。
取付ベース22は、液晶表示装置4Eの液晶パネルを内部に収納した状態で、耳部22C に形成されたネジ挿通孔に挿通されたネジを前扉３の裏側に螺合させることで、前扉３に取り付けられるようになっている。
そして、耳部22C の凹部22D は、前扉３に取付ベース22を接合するネジが内部に入った状態で、筒状に形成されたカシメ部材29で塞がれるようになっている。これにより、前扉３に取付ベース22を接合するネジは、耳部22C 及びカシメ部材29の少なくとも一方を破壊しないと、前扉３への螺合を解除できないようになっている。
【００３６】
（副制御基板16）
副制御基板16は、前述の主制御基板15によって行われた遊技の動作に関する処理の結果に応じて、演出動作を制御するものである。
すなわち、主制御基板15は、前述したように、遊技における当選役の抽選処理等、遊技の動作に関する処理を行い、その結果である当選役の抽選結果、入賞結果及び遊技状態等の各種の遊技情報を含む制御指令信号を副制御基板16に送信するようになっている。
副制御基板16は、スロットマシン１の演出動作を行うための演出用装置、具体的には、演出用照明装置4B〜4D、液晶表示装置4E、及び、音声出力部4F, 6Cを制御する制御回路が形成されたものである。そして、副制御基板16は、主制御基板15からの制御指令信号に基づいて、演出用照明装置4B〜4D、液晶表示装置4E、及び、音声出力部4F, 6C等の演出用装置を制御するものとなっている。
このような副制御基板16は、図４中左右に並設された二つの処理部16D, 16Eを備えたものである。このうち、図４中、右側に配置された処理部16D は、演出用照明装置4B〜4D、液晶表示装置4E、及び、音声出力部4F, 6Cの演出動作を制御する動作処理部16D となっている一方、図４中、左側に配置された処理部16E は、液晶表示装置4Eに表示させる画像の処理を行う画像処理部16E となっている。
【００３７】
動作処理部16D の図４中表側の面には、演出動作の制御に必要なプログラム及び演出動作制御用のデータの少なくとも一方が記憶された前述のＲＯＭ17と、このＲＯＭ17の取り外しを検出する図示しないＲＯＭ着脱センサ18A と、蓋部24に設けられた導電部26の離隔を検出する渦巻状（蚊取り線香のような渦巻状）の配線パターンからなる離隔検出センサ16F と、ＲＯＭ17の取り外しを監視するＲＯＭ取外監視ユニット30と、図４には示していないが、演出動作における演算処理を行うＣＰＵ44とが設けられている。
このうち、離隔検出センサ16F は、図示しない離隔監視ＩＣ及び後述するＣＰＵ41と協調して、導電部26の離隔を検出するものである。離隔監視ＩＣ及びＣＰＵ41は、離隔検出センサ16F とともに、蓋部24側の導電部26が離れていくことを検出するものであり、導電部26が離れた方向へ移動すると、離隔検出センサ16F からの信号に基づいて、蓋部24が開いたことを検出し、その旨を知らせる蓋部開信号を発信するように形成されている。
【００３８】
ＲＯＭ着脱センサ18A は、ＲＯＭ17が離れていくことを検出するためのものであり、離隔検出センサ16F と同様に、渦巻状（蚊取り線香のような渦巻状）の配線パターンを含んで構成されたセンサである。
このＲＯＭ着脱センサ18A の配線パターンは、副制御基板16のプリントパターンの一部として、ＲＯＭ17に対向する位置に形成された導体パターンとなっている。
ＲＯＭ着脱センサ18A の導体パターンは、ＲＯＭ17がＩＣソケット18に搭載されたとき、或いは、ＩＣソケット18が副制御基板16に実装されたときに、導体パターンの全部或いは一部がＲＯＭ17又はＩＣソケット18に隠れるように形成されたものである。
また、ＲＯＭ着脱センサ18A の導体パターンは、ＲＯＭ17が装着されるＩＣソケットの実装面である副制御基板16の表面において、ＲＯＭ17の接続端子に対応して形成されている半田取付用パターン（ランド）に重ならない位置に設けられている。
【００３９】
例えば、ＲＯＭ着脱センサ18A の導体パターンは、両側に複数の接続端子が配列されたＲＯＭ17を利用する場合、半田取付用パターン（ランド）の間に形成されたものが採用され、あるいは、四つの辺のそれぞれに複数の接続端子が配列されたＲＯＭ17を利用する場合、ＲＯＭ17の取付位置の周辺、すなわち、ＲＯＭ17の四つの辺に対応したランドの内側に形成されたものが採用される。
なお、本実施形態では、副制御基板16は、厚さ方向に積層された４層の基板が採用されており、離隔監視ＩＣで行われる検出判定処理の精度を向上させるため、表面には、導体パターンが形成されているが、他の３層部分について、表面の導体パターンに重なる領域及びその周辺に導体のパターンが形成されないようになっている。
【００４０】
図8において、ＲＯＭ着脱センサ18A は、離隔検出センサ16F が接続された前述の離隔監視ＩＣと同様の離隔監視ＩＣ18B （図８参照）と、ＲＯＭ17が取り外されたか否かを判定するＲＯＭ取外判定部41C （図８参照）と協調して、ＲＯＭ17が取り外されたことを検出するものである。
離隔監視ＩＣ18B は、特に図示しないが、所定の周波数の交流電流を発生する発振回路部と、ＲＯＭ着脱センサ18A の導体パターンに流れる交流電流の所定時間当たりの振動数をカウントするカウンタ部とを備えている。
【００４１】
離隔監視ＩＣ18B の発振回路部は、ＲＯＭ着脱センサ18A の導体パターンに与えるための所定周波数の交流電流を発生するものであり、水晶発振器を含んで構成された一般的な発振器である。
この発振回路部は、所定のタイミングで発振を開始する、例えば、ＣＰＵ４1から所定時間おきに送信される発振命令信号を受信したことを契機に発振を開始するようになっている。また、発振回路部は、発振を開始してから所定時間が経過するまで、所定の周波数で発信し、所定時間が経過すると、発振を停止するように設定されている。
ここで、本実施形態では、発振回路部の発信周波数は、例えば、１４０ＭＨｚに設定され、発振回路部を発振させる所定時間としては、ＲＯＭ17が取り外されたか否かを判定するのに必要なデータのサンプリング時間が採用される。
【００４２】
ここで、ＲＯＭ着脱センサ18A の導体パターンは、離隔監視ＩＣの発振回路部から所定周波数の交流電流を受けると、当該導電パターンから発生した磁力線でＲＯＭ17の導体部分に渦電流を発生させ、この渦電流によって誘導される誘導交流電流を、発振回路部が発生する交流電流に重畳させるものとなっている。
離隔監視ＩＣ18B のカウンタ部は、発振回路部の所定時間の発振開始を契機に、誘導交流電流が重畳された発振回路部の発生する交流電流の振動数のカウントを開始する。そして、離隔監視ＩＣ18B のカウンタ部は、発振回路部の所定時間の発振終了を契機に振動数のカウントを終了し、カウントしたカウント値を示すカウント値信号を後述するＣＰＵ41へ送信する。
（記憶媒体取外判断部41C） 
ＲＯＭ取外判定部41C は、後述するＣＰＵ41で実行されるプログラムによって構成されるものである。このＲＯＭ取外判定部41C は、離隔監視ＩＣ18B のカウンタ部のカウントしたカウント値に基づいて、ＲＯＭ17が副制御基板16から取り外されたか否かを判断するものである。
換言すると、ＣＰＵ41には、離隔監視ＩＣ18B のカウンタ部のカウントしたカウント値に基づいて、ＲＯＭ17が取り外されたか否かを判断するプログラムが記憶されており、ＣＰＵ41がこのプログラムを実行することで、ＲＯＭ17の取り外しを判定するようになっている。
【００４３】
すなわち、ＣＰＵ41の内部に形成されたＲＯＭ取外判定部41C は、離隔監視ＩＣ18B のカウンタ部から送信されたカウント値が所定の範囲から外れる否かに基づいて、ＲＯＭ17の取り外しを判断するものである。ＲＯＭ取外判定部41C は、カウント値が所定の範囲から外れている場合には、ＲＯＭ17が副制御基板16から取り外されたと判定するようになっている。
【００４４】
具体的な例をあげて説明すると、ＲＯＭ17がＩＣソケット18に装着されており、ＲＯＭ17とROM着脱センサ18A との間隔が所定の距離（例えば、約５mm）となっている状態で、離隔監視ＩＣ18B の発振回路部からＲＯＭ着脱センサ18A に所定の周波数（例えば、１４０MHｚ）の交流信号が供給された場合、ＲＯＭ着脱センサ18A とＲＯＭ17内の導体部分（ウエハや内部パターン）との距離に応じた周波数の渦電流が、ＲＯＭ17内部にある導体部分に生じるようになっている。ここで、ＲＯＭ着脱センサ18A は、一種のトランスであるので、ＲＯＭ着脱センサ18A には、発振回路部が発振する交流電流に発生した渦電流を重畳する交流電流が流れるようになっている。
このため、ＲＯＭ着脱センサ18A に流れる交流電流の周波数は、渦電流の影響で、発振回路部の発振周波数（例えば、１４０MHｚ）からずれ、一定範囲の周波数帯（本実施形態では１４５〜１５５MHｚ）から逸脱しない範囲内で上昇するので、ＲＯＭ着脱センサ18A に流れる交流電流の所定時間当たりの振動数も所定の範囲に収まるようになっている。
【００４５】
従って、ＲＯＭ着脱センサ18A に流れる交流電流の振動数を、離隔監視ＩＣ18B のカウンタ部でカウントし、カウンタ部でカウントした所定時間当たりのカウント値が所定の範囲に収まる場合、ＲＯＭ取外判定部41C は、ＲＯＭ17がＩＣソケット18に装着されていると判定するようになっている。
【００４６】
一方、ＲＯＭ17がＩＣソケット18から取り外され、ＲＯＭ17がＲＯＭ着脱センサ18A から遠ざかると、ＲＯＭ17内部にある導体部分に渦電流が生じなくなるので、離隔監視ＩＣ18B の発振回路部からＲＯＭ着脱センサ18A に供給される交流信号に、ＲＯＭ17の内部で発生した渦電流が重畳されないようになっている。これにより、ＲＯＭ着脱センサ18A に流れる交流電流は、離隔監視ＩＣ18B の発振回路部が発する交流電流の周波数に近い値（例えば、１４０ＭＨｚ〜１４２ＭＨｚの範囲内の値）に低下し、離隔監視ＩＣ18B のカウンタ部がカウントした所定時間当たりのカウント値が、前述の所定の範囲から逸脱するようになっている。
【００４７】
従って、ＲＯＭ着脱センサ18A に流れる交流電流の振動数を、離隔監視ＩＣ18B のカウンタ部でカウントし、カウンタ部でカウントした所定時間当たりのカウント値が所定の範囲から逸脱する場合、ＲＯＭ取外判定部41C は、ＲＯＭ17がＩＣソケット18から取り外されたと判定するようになっている。
そして、ＲＯＭ取外判定部41C は、ＲＯＭ17が取り外されたことを検出すると、取付状態を示す取付論理値から取外状態を示す取外論理値へ信号値が変更されるＲＯＭ状態信号を出力するものとなっている。
【００４８】
ここにおいて、ＲＯＭ着脱センサ18A 、離隔監視ＩＣ18B 及びＲＯＭ取外判定部41C は、ＲＯＭ17の取り外しを検出し、ＲＯＭ17が取り外されたことを検出すると、取付状態を示す取付論理値から取外状態を示す取外論理値へ信号値が変更されるＲＯＭ状態信号を出力する媒体取外検出手段を構成するものとなっている。
そして、本実施形態に係る媒体取外検出手段は、要約すると、ＲＯＭ17が装着されている場合には、所定周波数の交流電流をＲＯＭ着脱センサ18A に流通させると、ＲＯＭ17の内部に渦電流が発生し、発生した渦電流が誘導によってＲＯＭ着脱センサ18A にも流れ、所定周波数の交流電流に重畳して、ＲＯＭ着脱センサ18A に流れる交流電流の周波数を上昇させることを利用して、ＲＯＭ17の取り外しを検出するものとなっている。
【００４９】
図4に戻って、動作処理部16D の図４中裏側の面には、取付ベース22に設けられた導電部22E の離隔を検出する渦巻状の配線パターンからなる離隔検出センサ16G が設けられている。
離隔検出センサ16G は、ＲＯＭ着脱センサ18A と同様の構造・機能を有し、離隔監視ＩＣ18B と同様の離隔監視ＩＣに接続され、この離隔監視ＩＣ及びＣＰＵ41と協調して、取付ベース22側の導電部22E が離れていくことを検出するものである。離隔監視ＩＣ及びＣＰＵ41は、導電部22E が離れた方向へ移動すると、副基板ケース20の本体部21が取付ベース22から取り外されたことを報知するための本体状態信号を発信するように形成されている。
【００５０】
画像処理部16E の図４中表側の面には、液晶表示装置4Eの画像処理に必要なプログラム及び画像処理用のデータ等が記憶された画像処理用ＲＯＭ16H と、液晶表示装置4Eの画面に表示されるキャラクタに関するデータが記憶されたキャラクタＲＯＭ16J と、図４には示していないが、画像処理における演算処理を行うＣＰＵ45とが設けられている。
【００５１】
以上において、演出用照明装置4B〜4D、液晶表示装置4E、及び、音声出力部4F, 6Cは、遊技の進行に伴って動作する遊技装置となっている。
また、ＲＯＭ17は、ＩＣソケット18を介して副制御基板16に取り付けられることによって、副制御基板16に着脱可能に設けられた記憶媒体となっている。
そして、副制御基板16は、着脱可能に設けられたＲＯＭ17を有するとともに、演出用照明装置4B〜4D、液晶表示装置4E、及び、音声出力部4F, 6Cの動作を制御する制御回路が形成された制御基板となっている。
【００５２】
ＲＯＭ取外監視ユニット30は、電源装置13（図２参照）に設けられている電源スイッチ13A の接点信号を所定の検出開始信号として受信し、検出開始信号を受信すると、ＲＯＭ取外判定部41C からのＲＯＭ状態信号を監視する監視動作を開始するものである。
すなわち、ＲＯＭ取外監視ユニット30のＣＰＵ41は、所定の検出開始信号を受信すると、ＲＯＭ取外判定部41C からのＲＯＭ状態信号を監視する監視動作を開始し、ＲＯＭ状態信号の信号値が取付論理値から取外論理値へ変更されるのに応じて、正常状態を示す正常論理値から異常状態を示す異常論理値へ信号値が変更される警報信号を出力する媒体取外監視手段となっている。
また、ＲＯＭ取外監視ユニット30は、監視動作の開始後、警報信号の信号値を正常論理値から異常論理値に変更すると、異常論理値を維持するように形成されている。
【００５３】
（ＲＯＭ取外監視ユニット30）
以下に、ＲＯＭ取外監視ユニット30について詳しく説明する。
図５〜図７において、ＲＯＭ取外監視ユニット30は、離隔監視ＩＣ18B からのカウント値信号を受信し、受信したカウント値信号に基づいて所定の監視処理を行う監視基板40と、監視基板40を収納するケース部31とを備えたものである。
このうち、ケース部31は、直方体状の箱体であり、図５中、右方側面の上端部分及び左方側面の下端部分のそれぞれに、当該側面から突出するネジ止め膨出部31A が形成されたものとなっている。
このようなケース部31は、図４の如く、副制御基板16における動作処理部16D 側の所定位置に配置され、図６に示すように、副制御基板16の基板そのものである本体平板部16K に着脱可能に取り付けられている。換言すると、ＲＯＭ取外監視ユニット30は、副制御基板16に着脱可能に設けられたものとなっている。
ケース部31には、監視基板40が取り付けられるベース部32と、ベース部32に取り付けられた監視基板40を覆う蓋部33とが備えられている。
【００５４】
ベース部32は、図７に示すように、蓋部33側の面が開口された箱状の部材である。このベース部32には、監視基板40が取り付けられる底部32A と、この底部32A に取り付けられた監視基板40の周囲を囲む筒状の側壁部32B とが設けられている。そして、底部32A の周縁部分は、側壁部32B の外側面から突出する鍔部32C となっている。
ここで、ベース部32の鍔部32Cにおける前述のネジ止め膨出部31A に対応する部位は、当該ネジ止め膨出部31A に応じて拡張されたバルジ部32D となっている。このバルジ部32D には、ネジ止め用のボス32E が立設されている。
また、底部32A における側壁部32B に囲まれた部分には、監視基板40に形成されている後述するコネクタ40A を露出させるためのコネクタ挿通孔32F が設けられている。
【００５５】
蓋部33は、図７の如く、ベース部32側の面が開口された箱状の部材である。このベース部32には、ベース部32の底部32A と対向する平板状の部位として形成された天井部33A と、この天井部33A の周縁部に沿って立設された筒状の側壁部33B とが設けられている。
ここで、蓋部33の側壁部33B における前述のネジ止め膨出部31A に対応する部位は、当該ネジ止め膨出部31A に応じて膨出したバルジ部33D となっている。このバルジ部33D には、ネジ止め用の凹部33E が形成されている。
【００５６】
図６に戻って、蓋部33側のバルジ部33D に形成されている凹部33E の底部には、図６に示すように、ボス32E と螺合するネジを挿通させるネジ挿通孔33F が設けられている。
ここで、ベース部32及び蓋部33は、ベース部32の開口を蓋部33で閉じると、ベース部32の側壁部32B の外側に、蓋部33の側壁部33B が重なり、底部32A のコネクタ挿通孔32F を除いた部分が密閉されるように形成されている。このような側壁部32B 及び側壁部33B は、互いに重なり合う二重構造の壁を形成し、これにより、外部からの不正アクセスを非常に困難なものにし、ＲＯＭ取外監視ユニット30の防犯性を向上させるものとなっている。
【００５７】
ベース部32の開口を蓋部33で閉じた状態で、蓋部33側の凹部33E の底部に形成されたネジ挿通孔33F にネジ34を挿通し、このネジ34をベース部32側のボス32E と螺合することで、ベース部32及び蓋部33が互いに接合され、これにより、ケース部31が閉鎖されるようになっている。
この際、ネジ34が内部に入った凹部33E は、筒状のカシメ部材35で塞がれるようになっている。これにより、ネジ34は、蓋部33における凹部33E の周辺部分、及び、カシメ部材35の少なくとも一方を破壊しないと、ボス32E への螺合を解除できないようになっている。換言すると、ケース部31は、蓋部33における凹部33E の周辺部分、及び、カシメ部材35の少なくとも一方を破壊しないと、ネジ34のボス32E への螺合が解除できず、当該ケース部31を開けることができないようになっている。
【００５８】
一方、監視基板40は、前述したコネクタ40A及び図示しないケーブルを介して、副制御基板16に電気的に接続されている。また、監視基板40は、副制御基板16の動作処理部16D に設けられた離隔監視ＩＣ18B からのカウント値信号に基づいて、動作処理部16D からＲＯＭ17が取り外されたか否かの検出及び判定を行うとともに、ＲＯＭ17が取り外されると、ＲＯＭ17の取外を検出した取外検出時刻等を記憶するように形成されたものである。
この監視基板40には、各種の演算処理を行う演算処理部及び演算処理に欠かせないデータを記憶するＲＡＭ等の記憶部を含む必要な要素が１つのチップ内に詰め込まれたＣＰＵ41と、認証用データとしての乱数を取得するために実時刻を示す時刻データを発生させる要素が１つのチップ内に詰め込まれたＲＴＣ42と、停電時にＣＰＵ41及びＲＴＣ43への電力供給を行うバックアップ用の二次電池43とが設けられている。
ここにおいて、ケース部31は、ＣＰＵ41（媒体取外監視手段）及び二次電池43（電力供給源）を外部から操作できないように、ＣＰＵ41及び二次電池43を内部に包み込む部材であり、ＣＰＵ41及び二次電池43を封止する封止手段となっている。
【００５９】
（副制御基板16の電気的構成）
図８には、副制御基板16の電気的な概略構成が示されている。以下に、副制御基板16の電気的構成について説明する。
副制御基板16は、前述したように、演出動作を制御する動作処理部16D と、液晶表示装置4Eに表示させる画像を処理する画像処理部16E と、動作処理部16D に取り付けられたＲＯＭ17の取り外しを監視するＲＯＭ取外監視ユニット30とを有するものである。
【００６０】
このうち、ＲＯＭ取外監視ユニット30のＣＰＵ41には、図８に示すように、ＲＯＭ17が取り外されたこと等を記録として記憶するＲＡＭ41A と、動作処理部16D からＲＯＭ17が取り外されたことを示す警報信号を出力するとともに、当該警報信号の出力を維持する信号維持部41B と、前述のＲＯＭ取外判定部41C とが設けられている。
また、画像処理部16E のＣＰＵ45には、ＲＯＭ取外監視ユニット30からの警報信号に受信すると、ＲＯＭ17が取り外されたことの警報表示を行わせるためのＲＯＭ取外警報表示部45A と、ＲＯＭ取外監視ユニット30のＲＴＣ42から出力される後述のリアルタイムデータ（以下、「ＲＴデータ」という。）信号等を記憶するＲＡＭ45B と、当該ＲＴデータ信号の比較を行う比較演算部45C とが設けられている。
以上において、画像処理部16E には、図８の如く、停電でＲＡＭ45B の記憶内容が消去されないように、停電時にＲＡＭ45B に駆動用電力を供給するためのバックアップ電池45D が設けられている。
【００６１】
ここで、副制御基板16には、電源装置13が電気的に接続され、電源装置13から駆動用電力が供給されるとともに、電源スイッチ13A の投入（電源スイッチ13A がＯＮになったこと）を示す起動信号が入力されるようになっている。
【００６２】
動作処理部16D は、演出動作を制御する部位であり、液晶表示装置4Eで行われる演出動画の選択等も行うようになっている。
例えば、スロットマシン１には、遊技を開始すると、回転リール11を停止させた際に所定の図柄の組み合わせが停止されるストップスイッチ7Dの押し順を液晶表示装置4Eの画面に表示する演出動作を伴うアシストタイムゲーム（以下、「ＡＴゲーム」という。）が設定されている。
【００６３】
ここで、動作処理部16D のＣＰＵ44は、ＡＴゲームへ移行するか否かを選択する抽選を行うとともに、画像処理部16E 側のＣＰＵ45へ比較指令信号を所定周期毎に送出するものとなっている。
また、動作処理部16D のＲＯＭ17には、ＡＴゲームへの移行抽選を行うために、抽選テーブルが記憶されている。
【００６４】
ＲＯＭ取外監視ユニット30は、離隔監ＩＣ18B から出力されるカウント値信号を受信し、当該カウント値信号に基づいて、前記ＲＯＭ17が取り外されたか否かを判定する媒体取外監視ユニットとなっている。
ＲＯＭ取外監視ユニット30のＣＰＵ41は、二次電池43を介して電源装置13から駆動電力を受けるようになっており、これにより、停電しても、二次電池43からの駆動電力を受けることができ、停電時にも、ＲＯＭ17の取外監視が可能となっている。
ここにおいて、二次電池43は、媒体取外監視手段であるＣＰＵ41に独立して電力を供給することが可能な電力供給源となっている。
また、ＲＯＭ取外監視ユニット30のＣＰＵ41には、デジタルデータ信号が入力されるデータ入力端子と、データ割込入力を無効にすることができる、換言するとマスク可能な通常の割込入力端子（以下、「ＩＮＴ入力端子」という。）と、割込入力を無効にすることができない、換言するとマスク不可能な割込入力端子であるＮＭＩ入力端子とが設けられている。
このうち、ＣＰＵ41のデータ入力端子には、離隔監ＩＣ18B からのカウント値信号が入力され、ＣＰＵ41のＩＮＴ入力端子には、電源スイッチ13A からの起動信号が入力されるようになっている。
【００６５】
ＣＰＵ41の信号維持部41B は、ＣＰＵ41の内部のハードウェアあるいはソフトウェアによって形成された処理手段であり、ＩＮＴ入力端子に入力された起動信号及びＲＯＭ取外判定部41C からのＲＯＭ状態信号の両方を受信するようになっている。
また、信号維持部41B は、ＩＮＴ入力端子に入力された起動信号を受信すると、起動信号に応じたＲＴデータ要求信号をＲＴＣ42へ出力するようになっている。
具体的に説明すると、信号維持部41B は、ＩＮＴ入力端子に入力された起動信号を受信すると、ＲＴＣ42へ出力するＲＴデータ要求信号の信号値を送信不要値から送信要求値へ変更し、送信要求値に変更した後、ＲＴデータ要求信号の信号値を送信要求値に維持し続けるものとなっている。
これにより、ＣＰＵ41は、電源スイッチ13A から最初に受信した起動信号のみを受け付け、その後に、電源スイッチ13A が起動信号を繰り返し何度も送信しても、その都度、電源スイッチ13A からの起動信号を無視するようになっている。
【００６６】
さらに、信号維持部41B は、電源スイッチ13A から起動信号を受信すると、ＲＯＭ取外判定部41C からのＲＯＭ状態信号を監視する監視動作を開始し、受信したＲＯＭ状態信号に応じた警報信号を、画像処理部16E 側のＲＯＭ取外警報表示部45A へ出力するようになっている。
監視動作を開始した後の信号維持部41B について、さらに具体的に説明すると、信号維持部41B は、ＲＯＭ状態信号の信号値が取付論理値から取外論理値へ変更されるのに応じて、警報信号の信号値を正常状態を示す正常論理値から異常状態を示す異常論理値へ変更し、異常論理値に変更した後、警報信号の信号値を異常論理値に維持し続けるものとなっている。
例えば、ＲＯＭ状態信号の取付論理値及び取外論理値のそれぞれが「０」及び「１」に設定されている場合、信号維持部41B は、ＲＯＭ状態信号の信号値が最初に「０」から「１」に変化したことを唯一のトリガとして、警報信号の信号値を正常論理値から異常論理値へ変更するものとなっており、その後、信号値が「０」から「１」、あるいは「１」から「０」へ変化しても、警報信号の信号値を変更しないようになっている。
これにより、ＣＰＵ41は、ＲＯＭ状態信号の信号値が取付論理値から取外論理値へ変更されると、その後、電源装置13からの電力供給が停止しても、そのＲＡＭやレジスタに記憶された信号の状態や値を変化させる処理を実行せず、この結果、警報信号の信号値を異常論理値に維持し続けるようになっている。
【００６７】
ＲＴＣ42は、信号維持部41B からのＲＴデータ要求信号に応じて、その時点の実時刻を示すＲＴデータ信号を、同じＲＯＭ取外監視ユニット30のＣＰＵ41に設けられているＲＡＭ41A と、画像処理部16E 側のＣＰＵ45に設けられているＲＡＭ45B とに送信するようになっている。
さらに詳しく説明すると、ＲＴＣ42は、信号維持部41B からのＲＴデータ要求信号の信号値が送信不要値から送信要求値へ変更すると、その変更時の実時刻を示すＲＴデータ信号をＣＰＵ41のＲＡＭ41A 及びＣＰＵ45のＲＡＭ45B へ送信するようになっている。
ここで、信号維持部41B からのＲＴデータ要求信号は、一旦、その信号値が送信要求値に変更されると、送信要求値を維持するので、ＲＴＣ42によるＲＴデータ信号の送信回数は、１回に限られるようになっている。
【００６８】
ここで、ＲＴＣ42は、一定の周期で所定の電気パルスを発する図示しない発振器と、この発振器の発する電気パルスの数を計数する図示しない発振数カウンタとを備え、時刻表示を開始する際の時刻に、発振数カウンタで発振器の発する電気パルスの数を計数することで、実時間のデータであるＲＴデータを取得するものである。
ＲＡＭ41A は、ＲＴＣ42に内蔵された発振数カウンタで計数された計数値でもあるＲＴデータの値を監視ユニット側記憶値として記憶するための監視ユニット側記憶部となっている。
【００６９】
ＲＡＭ41A は、ＲＴＣ42からＲＴデータ信号が送られてくると、送られてきたＲＴデータ信号が示すＲＴデータを記憶するとともに、比較演算部45C から記憶値要求信号が送られてくるたびに、記憶しているＲＴデータである監視ユニット側記憶値を示すユニット側記憶値信号を比較演算部45C へ送信するものとなっている。
【００７０】
画像処理部16Eは、信号維持部41B から警報信号に応じてＲＯＭ17の取り外しが行われたことの表示を液晶表示装置4Eに行わせる機能と、ＲＯＭ取外監視ユニット30が副制御基板16から取り外されたか否かを判定する機能とを有するものとなっている。
すなわち、画像処理部16E のＲＯＭ取外警報表示部45A は、信号維持部41B から警報信号を受信し、受信した警報信号の信号値が異常論理値になっている場合に、ＲＯＭ17の取り外しが行われたことを液晶表示装置4Eの画面に表示させるものとなっている。
ここで、液晶表示装置4Eは、ＲＯＭ17が取り外されたことを報知するための媒体取外報知手段となっている。
【００７１】
ＲＡＭ45B は、ＲＴＣ42からＲＴデータ信号が送られてくると、送られてきたＲＴデータ信号が示すＲＴデータを記憶するとともに、比較演算部45C から記憶値要求信号が送られてくるたびに、記憶しているＲＴデータである制御手段側記憶値を示す基板側記憶値信号を比較演算部45C へ送信するものとなっている。
比較演算部45C は、動作処理部16D のＣＰＵ44から周期的に送信されてくる比較指令信号を受信するごとに、ＲＯＭ取外監視ユニット30側のＣＰＵ41に設けられているＲＡＭ41A と、同じＣＰＵ45に設けられているＲＡＭ45B とに、それぞれが記憶しているＲＴデータの値の送信を要求する記憶値要求信号を送信するようになっている。
【００７２】
そして、比較演算部45C は、ＲＡＭ41A からのユニット側記憶値信号及びＲＡＭ45B からの基板側記憶値信号を受信すると、ユニット側記憶値信号の信号値と基板側記憶値信号の信号値とを比較し、比較した結果に応じた警報信号をＲＯＭ取外警報表示部45A へ出力するようになっている。
さらに詳しく説明すると、比較演算部45C は、ユニット側記憶値信号の信号値と基板側記憶値信号の信号値とを比較した結果、ユニット側記憶値信号の信号値と基板側記憶値信号の信号値とが相違していると、警報信号の信号値を正常状態を示す正常論理値から異常状態を示す異常論理値へ変更するものとなっている。
ここで、ＲＯＭ取外警報表示部45A は、比較演算部45C から受信した警報信号の信号値が異常論理値に変更されると、信号維持部41B から警報信号の信号値が異常論理値になっている場合と同様に、ＲＯＭ17の取り外しが行われたことを液晶表示装置4Eの画面に表示させて、その旨を報知させる、換言すると、液晶表示装置4Eで警報を発報するようになっている。
【００７３】
以上において、画像処理部16E は、ＲＯＭ取外監視ユニット30によって、ＲＯＭ17が取り外されたと判定されると、液晶表示装置4Eを制御して、ＲＯＭ17の取り外しを報知する動作を液晶表示装置4Eに行わせる報知動作制御手段となっている。
また、ＣＰＵ45は、ＲＯＭ取外監視ユニット30に関する情報としてのＲＴデータを含む情報信号であるＲＴデータ信号をＲＯＭ取外監視ユニッ30から受け、このＲＴデータ信号に基づいて、当該ＲＯＭ取外監視ユニット30が取り外されたか否かの判定を行う監視ユニット取外判定手段となっている。
【００７４】
さらに、画像処理部16E は、ＣＰＵ45によって、ＲＯＭ取外監視ユニット30が取り外されたと判定されると、ＲＯＭ17の取り外しを報知する動作を液晶表示装置4Eに行わせるように形成されたものとなっている。
また、ＲＴＣ42は、所定の記憶指令信号であるＲＴデータ要求信号を受信すると、内蔵している発振数カウンタが計数している、その時点における計数値であるＲＴデータを画像処理部16E に知らせるとともに、画像処理部16E に知らせたＲＴデータをＲＡＭ41A に記憶させる計数値処理部となっている。
【００７５】
さらに、ＲＡＭ45B は、計数値処理部であるＲＴＣ42によって知らされた発振数カウンタの計数値であるＲＴデータを制御手段側記憶値として記憶する制御手段側記憶部となっている。
また、比較演算部45C は、ＣＰＵ44から所定周期毎に送出される比較指令信号を受信する毎に、ＲＯＭ取外監視ユニット30に記憶されている監視ユニット側記憶値を知らせることをＲＯＭ取外監視ユニット30に対して要求する記憶値要求信号をＲＯＭ取外監視ユニット30へ送るものである。換言すると、比較演算部45C は、記憶値要求信号をＲＯＭ取外監視ユニット30へ所定周期毎に送る記憶値要求手段となっている。
さらに、比較演算部45C は、ＲＯＭ取外監視ユニット30から監視ユニット側記憶値が知らされると、知らされた監視ユニット側記憶値を、ＲＡＭ45B に記憶されている制御手段側記憶と比較する記憶値比較手段となっている。
【００７６】
また、監視ユニット取外判定手段としてのＣＰＵ45は、比較演算部45C が比較した結果、知らされた監視ユニット側記憶値が、そのＲＡＭ45B に記憶されている制御手段側記憶値と相違している場合、ＲＯＭ取外監視ユニット30が取り外されたと判定するように形成されたものである。
さらに、報知動作制御手段としての画像処理部16E は、ＣＰＵ45によって、ＲＯＭ取外監視ユニット30が取り外されたと判定されると、ＲＯＭ17の取り外しを報知する動作を液晶表示装置4Eに行わせるように形成されている。
【００７７】
このような副制御基板16を備えたスロットマシン１では、ＲＯＭ17が不正なＲＯＭに交換されると、ＲＯＭ取外監視ユニット30が出力する警報信号の信号値が異常論理値に変更され、これにより、液晶表示装置4Eの画面にＲＯＭ17が取り外されたことが表示され、換言すると、液晶表示装置4Eで警報が発報され、ＲＯＭ17の不正取外行為が報知される。
【００７８】
また、ＲＯＭ取外監視ユニット30に二次電池43を設け、一旦、ＲＯＭ取外監視ユニット30が出力する警報信号の信号値が異常論理値に変更されると、その後、当該異常論理値に維持されるようにしたので、電源スイッチ13A がＯＦＦの状態で、ＲＯＭ17の不正交換がなされても、その際におけるＲＯＭ17の取り外しによって、警報信号の信号値が異常論理値に変更され、その後も、当該異常論理値が維持されるので、スロットマシン１の電源が再投入されると、液晶表示装置4Eの画面にＲＯＭ17が取り外されたことが表示され、これにより、ＲＯＭ17の不正取外行為が報知される。
なお、ＲＯＭ取外監視ユニット30は、一旦、ＲＯＭ取外監視ユニット30が出力する警報信号の信号値が異常論理値に変更されると、二次電池43に蓄積されている電力によって、スロットマシン１から取り外されても、スロットマシン１から取り外された状態で放置し、二次電池43を完全に放電した後、スロットマシン１に取り付ければ、警報信号の信号値が元の状態にリセットされるので、再使用することができる。
【００７９】
しかも、ＲＯＭ取外監視ユニット30を取り外すと、ＣＰＵ41のＩＮＴ入力端子とＲＯＭ着脱センサ18A との電気的接続が遮断されるので、ＣＰＵ41のＩＮＴ入力端子の信号受信状態は、ＲＯＭ着脱センサ18A からＲＯＭ17が取り外された状態と同じとなり、ＲＯＭ取外監視ユニット30を取り外した状態で、ＲＯＭ17の不正交換がなされても、警報信号の信号値が異常論理値に変更され、これにより、液晶表示装置4Eの画面にＲＯＭ17が取り外されたことが表示されて、ＲＯＭ17の不正取外行為が報知される。
【００８０】
さらに、ＲＯＭ17を不正なＲＯＭに交換する際に、ＲＯＭ取外監視ユニット30についても不正なＲＯＭ取外監視ユニット30への交換がなされると、ＣＰＵ45の比較演算部45C によって、ＲＯＭ取外監視ユニット30からの監視ユニット側記憶値と、ＣＰＵ45のＲＡＭ45B に記憶されている制御手段側記憶との比較がなされ、不正なＲＯＭ取外監視ユニット30からの監視ユニット側記憶値と、ＣＰＵ45のＲＡＭ45B に記憶されている制御手段側記憶とが一致することがないので、比較演算部45C から出力される警報信号の信号値が異常論理値に変更され、これにより、液晶表示装置4Eの画面にＲＯＭ17が取り外されたことが表示されて、ＲＯＭ17の不正取外行為が報知される。
【００８１】
なお、ＲＯＭ17を不正なＲＯＭに交換する際に、ＲＯＭ取外監視ユニット30が取り外された場合、ＲＯＭ取外監視ユニット30からの監視ユニット側記憶値が出力されず、従って、比較演算部45C の比較処理において、監視ユニット側記憶値と、ＣＰＵ45のＲＡＭ45B に記憶されている制御手段側記憶とが一致することがないので、この場合にも、比較演算部45C から出力される警報信号の信号値が異常論理値に変更され、これにより、液晶表示装置4Eの画面にＲＯＭ17が取り外されたことが表示されて、ＲＯＭ17の不正取外行為が報知される。
【００８２】
（実施形態の効果）
前述のような本実施形態によれば、次のような効果が得られる。
すなわち、記憶媒体であるＲＯＭ17の取り外しを検出する媒体取外検出手段として、ＲＯＭ17が取り外されたことを検出すると、取付状態を示す取付論理値から取外状態を示す取外論理値へ信号値が変更されるＲＯＭ状態信号を出力するＲＯＭ着脱センサ18A 、離隔監視ＩＣ18B 及びＲＯＭ取外判定部41C を設け、ＲＯＭ17が不正に取り外された際に、そのＲＯＭ状態信号の信号値が取外論理値に変更されるようにしたので、ＲＯＭ状態信号の信号値を監視することで、ＲＯＭ17が不正に取り外された否かがリアルタイムで検出されるようになる。
また、前述のようなＲＯＭ着脱センサ18A 、離隔監視ＩＣ18B 及びＲＯＭ取外判定部41C に加えて、検出開始信号として、電源スイッチ13A がＯＮとなったことを示す起動信号を受信すると、ＲＯＭ取外判定部41C からのＲＯＭ状態信号を監視する監視動作を開始し、ＲＯＭ状態信号の信号値が取付論理値から取外論理値へ変更されるのに応じて、正常状態を示す正常論理値から異常状態を示す異常論理値へ信号値が変更される警報信号を出力するＣＰＵ41を設け、警報信号の信号値が異常論理値に変更されたことを契機に、液晶表示装置4Eで警報を発報するようにしたので、スロットマシン１が動作している間に、ＲＯＭ17が不正に取り外ずされると、速やかに、液晶表示装置4Eによって警報が発報されるようになり、これにより、ＲＯＭ17の不正取外をリアルタイムで報知することができる。
【００８３】
ここで、ＣＰＵ41は、監視動作の開始後、警報信号の信号値を正常論理値から異常論理値に変更すると、電源スイッチ13A のＯＮ／ＯＦＦ状態にかかわらず、異常論理値を維持することができるので、スロットマシン１の電源がＯＦＦの状態で、液晶表示装置4Eによる警報が発報されない時に、ＲＯＭ17が交換されても、スロットマシン１の電源が再度投入されると、画像処理制部16E によって、警報信号の信号値が異常論理値であることが認識され、液晶表示装置4Eによって、ＲＯＭ17が不正交換されたことを報知でき、換言すると、液晶表示装置4Eによって警報を発報することができ、従って、ＲＯＭ17の不正交換の防止を十分に図ることができる。
しかも、ＲＯＭ17の不正交換後、速やかに、液晶表示装置4Eを制御する画像処理制部16E に設けられたＲＡＭ45B の電源ラインが切断され、ＲＡＭ45B の電源が遮断され、ＲＡＭ45B に記憶されたＲＯＭ17の交換記録が強制的にクリアされた場合でも、ＣＰＵ41が発する警報信号の信号値は異常論理値を維持するので、スロットマシン１の電源が再度投入されると、画像処理制部16E によって、警報信号の信号値が異常論理値であることが認識され、液晶表示装置4Eによって、ＲＯＭ17が不正交換されたことを報知でき、換言すると、液晶表示装置4Eによって警報を発報することができ、従って、ＲＯＭ17の不正交換の防止を十分に図ることができる。
【００８４】
さらに、ＲＯＭ17の取り外しを検出するために、ＲＯＭ17の取り外しによって、取付状態を示す取付論理値から取外状態を示す取外論理値へ信号値が変更されるＲＯＭ状態信号を出力するＲＯＭ着脱センサ18A 、離隔監視ＩＣ18B 及びＲＯＭ取外判定部41C を設けたので、ＲＯＭ17が取り外されると、そのＲＯＭ状態信号の信号値が取外論理値となり、ＲＯＭ状態信号の信号値を監視することで、ＲＯＭ17の不正取外をリアルタイムで検出することができる。
この際、ＲＯＭ取外判定部41C からのＲＯＭ状態信号を監視し、ＲＯＭ状態信号の信号値が取付論理値から取外論理値へ変更されるのに応じて、正常状態を示す正常論理値から異常状態を示す異常論理値へ信号値が変更される警報信号を出力するＣＰＵ41と、このＣＰＵ41に独立して電力を供給することが可能な二次電池43とをＲＯＭ取外監視ユニット30に設けたので、スロットマシン１の電源がＯＦＦとなっても、二次電池43によって電力供給がなされ、ＲＯＭ取外監視ユニット30は、正常論理値から異常論理値に変更された警報信号の信号値を異常論理値に維持するようになる。
従って、スロットマシン１の電源がＯＦＦ状態で、液晶表示装置4Eが警報を発報することができない時に、ＲＯＭ17が交換され、その後、たとえ、画像処理部16E のＲＡＭ45B の電源が遮断され、ＲＡＭ45B に記憶されたＲＯＭ17の交換記録がクリアされたとしても、ＣＰＵ41は、警報信号の信号値を異常論理値に維持するので、スロットマシン１の電源の再度投入後、警報信号の信号値が異常論理値であることを画像処理部16Eが認識すると、ＲＯＭ17が不正交換されたことの報知動作を液晶表示装置4Eに行わせるようになり、これにより、ＲＯＭ17の不正交換の防止を十分に図ることができる。
【００８５】
ここで、ＲＯＭ取外監視ユニット30のＣＰＵ41及び二次電池43をケース部31で封止し、これにより、ＣＰＵ41及び二次電池43に対して外部から不正な操作が行えないようにしたので、ＲＯＭ取外監視ユニット30を破壊することなく、外部からの操作でＣＰＵ41がＲＯＭ17の取り外しを検出する動作を妨害することはできなくなり、この点からも、ＲＯＭ17が不正交換されたことを確実に報知できるようになり、従って、ＲＯＭ17の不正交換防止を十分に図れることができる。
【００８６】
また、一定の周期で所定の電気パルスを発する発振器と、この発振器の発する電気パルスの数を計数する発振数カウンタとを備えるとともに、発振数カウンタの計数値であるＲＴデータ信号を出力するＲＴＣ42を設け、さらに、このＲＴＣ42が出力するＲＴデータ信号が示す計数値を監視ユニット側記憶値として記憶するためのＲＡＭ41A をＣＰＵ41に設け、ＲＴＣ42として、ＲＴデータ要求信号を受信すると、その時点における発振数カウンタの計数値であるＲＴデータを画像処理部16E に知らせるとともに、画像処理部16E に知らせた計数値をＲＡＭ41A に記憶させるものを採用し、さらに、ＲＴＣ42によって知らされたＲＴデータを制御手段側記憶値として記憶するＲＡＭ45B をＣＰＵ45に設けたので、認証用パスワードとしての計数値（監視ユニット側記憶値及び制御手段側記憶値）が自動的に設定されるようになり、それぞれのスロットマシン１毎に異なる認証用のパスワードを設定する作業、及び、当該パスワードをＣＰＵ45及びＲＯＭ取外監視ユニット30に登録する登録作業が不要となるうえ、パスワードとなる認証用の計数値は、スロットマシン１が設置される遊技場の係員や、スロットマシン１を作製する工場の作業員でさえ知ることができず、これにより、ＲＯＭ17の不正交換に対する防犯性を向上することができる。
【００８７】
そして、スロットマシン１に設置されていた真正のＲＯＭ取外監視ユニット30が取り外されて、不正なＲＯＭ取外監視ユニット30に交換された際には、ＲＯＭ取外監視ユニット30に設けられたＣＰＵ41のＲＡＭ41A に記憶されているパスワードとしての監視ユニット側記憶値と、ＣＰＵ45のＲＡＭ45B に記憶されているパスワードとしての制御手段側記憶値とが相違するので、ＣＰＵ45でＲＯＭ取外監視ユニット30が取り外されたか否かの判定が行え、この判定結果に応じて、液晶表示装置4EがＲＯＭ17の取り外しを報知するようになる。
以上により、認証用のパスワードの設定作業や登録作業が不要となるうえ、認証用のパスワードの設定作業や登録作業を行わなくても、ＲＯＭ取外監視ユニット30の不正交換がなされたか否かの判定が正確に行えるので、ＲＯＭ取外監視ユニット30の不正交換がなされ、ＲＯＭ17の取り外しが検出できなくとも、ＲＯＭ17が不正交換されたことを報知することができ、従って、記憶媒体の不正交換の防止を十分に図れるようになる。
【００８８】
［第２実施形態］
続いて、本発明の第２実施形態について説明する。なお、以下の説明において、前記第１実施形態と同様の装置や部位等には、同一符号を付し、その説明を省略又は簡略する。
本第２実施形態は、前記第１実施形態において媒体取外検出手段として採用したＲＯＭ着脱センサ18A 、離隔監視ＩＣ18B 及びＲＯＭ取外判定部41C を、ＩＣソケット18に一体化されたフォトインターラプタあるいはリミットスイッチ等の近接スイッチからなるＲＯＭ着脱センサとしたものである。
［第２実施形態］
さらに、前記実施形態では、媒体取外検出手段として、ＲＯＭ着脱センサ18A 、離隔監視ＩＣ18B 及びＲＯＭ取外判定部41C を含んで構成されたものを採用したが、ＩＣソケット18に一体化されたフォトインターラプタあるいはリミットスイッチ等の近接スイッチを含んで構成されたＲＯＭ着脱センサを採用してもよい。
このようなＲＯＭ着脱センサは、ＲＯＭ着脱センサのみでＲＯＭ17の取り外しを検出することが可能なので、媒体状態信号であるＲＯＭ状態信号を、ＲＯＭ取外監視ユニット30のＣＰＵ41に備えられている信号維持部41B に直接出力するものとなる。
ここで、ＲＯＭ着脱センサから出力されるＲＯＭ状態信号は、ＲＯＭ着脱センサがＲＯＭ17が取り外されたことを検出すると、取付状態を示す取付論理値から取外状態を示す取外論理値へ信号値が変更される信号となっている。
【００８９】
また、ＲＯＭ着脱センサのＲＯＭ状態信号は、媒体取外監視手段を構成するＣＰＵ41のＮＭＩ入力端子に入力されるように。なお、ＣＰＵ41のＩＮＴ入力端子には、前述したように、電源スイッチ13A からの起動信号が入力されるようになっている。
【００９０】
ここで、ＩＮＴ入力端子に起動信号が入力されるとともに、ＮＭＩ入力端子にＲＯＭ状態信号が入力されるＣＰＵ41の内部処理について、図９を参照しながら説明する。
ＣＰＵ41は、二次電池43に充分な電力が充電されると、メインルーチン処理を開始し、メインルーチン処理の一処理として、ＩＮＴ入力端子に起動信号が入力されるまで、図９（Ａ）に示す手順でＩＮＴ入力処理を行うようになっている。
【００９１】
すなわち、図９（Ａ）に示すように、ステップＳ1000で、ＩＮＴ入力端子で信号を入力することが許可されているか否かの判定を行う。
ステップＳ1000で、ＩＮＴ入力端子で信号を入力することが許可されていると判定された場合は、次のステップＳ1100へ進む一方、ＩＮＴ入力端子で信号を入力することが許可されていると判定されなかった場合は、メインルーチン処理へ戻る。
【００９２】
ステップＳ1100では、ＩＮＴ入力端子に起動信号が入力されたか否かを判定する。このステップＳ1100で、ＩＮＴ入力端子に起動信号が入力されたと判定された場合は、次のステップＳ1200へ進む一方、ＩＮＴ入力端子に起動信号が入力されたと判定されなかった場合は、メインルーチン処理へ戻る。
【００９３】
ステップＳ1200では、ＲＴＣ42へＲＴデータを要求するＲＴデータ要求信号を出力するＲＴデータ要求信号出力処理を行い、このＲＴデータ要求信号出力処理が終了したら、次のステップＳ1300へ進む。
ステップＳ1300では、ＲＴデータ信号を取得するＲＴデータ信号取得処理を行い、このＲＴデータ信号取得処理が終了したら、次のステップＳ1400へ進む。
【００９４】
ステップＳ1400では、取得したＲＴデータ信号のＲＴデータをＲＡＭ41A に書き込むＲＴデータＲＡＭ書込処理を行い、このＲＴデータＲＡＭ書込処理が終了したら、次のステップS1500へ進む。
ステップＳ1500では、ＩＮＴ入力端子で信号を入力することが許可しないようにするＩＮＴ入力不許可処理を行い、このＩＮＴ入力不許可処理が終了したら、メインルーチン処理へ戻る。
【００９５】
一方、ＣＰＵ41は、図９（Ｂ）に示す手順でＮＭＩ入力処理を行うようになっている。
すなわち、図９（Ｂ）に示すように、ステップＳ2000で、ＩＮＴ入力端子で信号を入力することが不許可となっているか否かの判定を行う。
ステップＳ2000で、ＩＮＴ入力端子で信号を入力することが不許可となっていると判定された場合は、次のステップＳ2100へ進む一方、ＩＮＴ入力端子で信号を入力することが不許可となっていると判定されなかった場合は、メインルーチン処理へ戻る。
【００９６】
ステップＳ2100では、ＮＭＩ入力端子に入力されているＲＯＭ状態信号が取外論理値となったか否かを判定する。このステップＳ2100で、ＲＯＭ状態信号が取外論理値となったと判定された場合は、次のステップＳ2200へ進む一方、ＲＯＭ状態信号が取外論理値となったと判定されなかった場合は、メインルーチン処理へ戻る。
【００９７】
ステップＳ2200では、画像処理部16E のＣＰＵ45へ異常信号を出力する異常信号出力処理を行い、この異常信号出力処理が終了したら、メインルーチン処理へ戻る。
【００９８】
以上のように処理を行うＣＰＵ41は、ＩＮＴ入力端子に起動信号が1回だけ入力することを許し、それ以降、起動信号の入力を許可せず、従って、ＲＴデータの取得・書込も1回のみ行うようになっている。
また、ＣＰＵ41は、ＩＮＴ入力端子に起動信号が入力されたことを条件に、ＲＯＭ状態信号が取外論理値になったか否かの判定を行い、ＩＮＴ入力端子に起動信号が既に入力される場合は、ＲＯＭ状態信号が取外論理値になると、異常信号を出力するが、ＩＮＴ入力端子に起動信号が未だ入力されていない場合は、ＲＯＭ状態信号が取外論理値になっても、異常信号を出力することがない。
【００９９】
以下に、前述のようなＣＰＵ41の動作を図１０のタイムチャートを参照しながら説明する。
図１０において、ＣＰＵ41は、スロットマシン１が起動する前から作動している。そして、ＣＰＵ41は、スロットマシン１が起動するまでは、換言すると、スロットマシン１が起動する以前においては、図１０に示すように、ＮＭＩ入力端子に入力されているＲＯＭ状態信号が取外論理値になっても（※１参照）、異常信号を出力しない。
【０１００】
そして、図１０における時刻T1において、ＩＮＴ入力端子に起動信号が入力されると、ＣＰＵ41は、ＲＴＣ42へＲＴデータを要求し、及び、ＲＴＣ42から取得したＲＴデータを利用して、ＲＯＭ取外監視ユニット30が取り外されたか否かの判定を行えるようにする。
これらの処理が完了したら、ＣＰＵ41は、ＮＭＩ入力端子への信号入力に基づく異常処理を実行できるようにするとともに、ＩＮＴ入力端子への信号入力を不許可状態にする。従って、この後、図１０中時刻Ｔ２において、ＮＭＩ入力端子に入力されているＲＯＭ状態信号が取付論理値から取外論理値へ変更されると、図１０の如く、ＣＰＵ41は、異常信号を出力するとともに、異常信号の信号の論理値を変化させない、換言すると、時刻Ｔ２における値に維持するようになっている。
【０１０１】
また、時刻T1以降は、ＩＮＴ入力端子への信号入力を不許可状態にするので、図１０の如く、ＩＮＴ入力端子に起動信号が入力されても（※２参照）、ＣＰＵ41は、異常信号等の信号の論理値を変化させない。
さらに、ＣＰＵ41は、異常信号の出力後においては、異常信号の信号の論理値を変化させず、時刻Ｔ２における値に維持するので、時刻Ｔ２の経過後、ＮＭＩ入力端子に入力されているＲＯＭ状態信号が取付論理値から取外論理値へ変更されても（※３参照）、異常信号等の信号の論理値が変化することはない。
異常のような本実施形態によっても、前記第１実施形態と同様の作用、効果を奏することができる。
【０１０２】
なお、本発明は、前記実施形態に限定されるものではなく、本発明の目的を達成できる範囲における変形及び改良などをも含むものである。
例えば、前記第１実施形態では、認証用のパスワードとなる計数値を取得する手段として、実時刻を計測するＲＴＣを採用したが、これに限らず、一定の周期で所定の電気パルスを発する発振器と、この発振器の発する電気パルスの数を計数する発振数カウンタとを備え、任意のタイミングで発振数カウンタから計数値を取り出す乱数取得手段でもよい。
また、前記第１実施形態では、ＲＴＣ42を利用して、認証用のパスワードとなる計数値を自動的に設定するようにしたが、認証用のパスワードとしては、遊技機側で自動的に設定するものに限らず、遊技機の製造時に、それぞれの遊技機に対して、異なる認証用のパスワードを設定し、且つ、当該パスワードを監視ユニット取外判定手段及び媒体取外監視ユニットの両方にパスワードを登録しておき、不正な媒体取外監視ユニットに交換されると、登録されたパスワードが一致しなくなるように形成してもよい。
【０１０３】
さらに、遊技機用回路基板としては、副制御基板16に限らず、リールユニット10やホッパユニット12の動作を制御する主制御基板でもよく、要するに、遊技機に設けられている装置の動作を制御するための制御回路が形成されている回路基板であればよい。
また、前記第１実施形態では、遊技動作を制御する主制御基板15と、演出動作を制御する副制御基板16とを別個に設けたが、制御基板の形態は、これに限らず、主制御基板を構成する電子部品と副制御基板を構成する電子部品とを一つの基板に設け、主制御基板及び副制御基板を一体化してもよい。
【０１０４】
また、前記第１実施形態では、画像処理部16E を比較演算部45C に設けたが、これに限らず、画像処理部16E をＲＯＭ取外監視ユニット30に設け、ＲＯＭ取外監視ユニット30から警報信号を出力するようにしてもよい。
この場合、前記第１実施形態では、動作処理部16D から比較演算部45C へ比較指令信号を周期的に出力するようにしていたが、比較指令信号の出力元は、動作処理部16D に限らず、ＲＯＭ取外監視ユニット30に設けた画像処理部16E に対して、画像処理部16E から比較指令信号を出力するようにしてもよい。
【０１０５】
さらに、前記第１実施形態では、ＲＯＭ17の取り外しの報知動作と、を液晶表示装置4Eに行わせたが、ＲＯＭ17の取り外しの報知を動作するデバイスとしては、液晶表示装置4Eに限らず、他のデバイス、例えば、ＬＥＤ等の低消費電力の照明装置で行ってもよい。低消費電力の照明装置で、ＲＯＭ17の取り外しを報知する場合、ＲＯＭ17が正常に取り付けられている場合は、低消費電力の照明装置を連続点灯させ、ＲＯＭ17が取り外された場合は、低消費電力の照明装置を点滅させて、この照明装置の点滅動作で、ＲＯＭ17の取り外しを報知することが望ましい。ＲＯＭ取外監視ユニット30が取り外されたと判定されると、ＲＯＭ17の取り外しを報知する動作を液晶表示装置4Eに行わせるように形成されたものとなっている。
【０１０６】
また、前記第１実施形態では、ＲＯＭ取外監視ユニット30が取り外された場合、液晶表示装置4EでＲＯＭ17が取り外されたと報知するようにし、ＲＯＭ取外監視ユニット30の取り外しと、ＲＯＭ取外監視ユニット30が取り外しとが、液晶表示装置4Eの報知動作だけでは判別できないようにしたが、ＲＯＭ取外監視ユニット30の取り外しを報知する態様・動作は、これに限らず、ＲＯＭ取外監視ユニット30が取り外された場合、液晶表示装置4Eで、ＲＯＭ取外監視ユニット30が取り外されたと報知し、ＲＯＭ取外監視ユニット30の取り外しと区別できるようにしてもよく、ＲＯＭ取外監視ユニット30の取り外しを報知する専用のデバイス、例えば、前述した低消費電力の照明装置を点滅させることで報知してもよい。
【０１０７】
さらに、前記第１実施形態では、ＲＯＭ取外監視ユニット30が取り外された場合、あるいは、ＲＯＭ17が取り外された場合、液晶表示装置4Eでその旨を報知するにとどめたが、ＲＯＭ取外監視ユニット30、あるいは、ＲＯＭ17が取り外されたことを契機として、副制御基板16の機能の一部、例えば、三つのストップスイッチ7Dの操作順を案内するナビゲータ機能を停止する、若しくは、副制御基板16の全機能を停止するようにしてもよい。
また、遊技機としては、スロットマシンに限らず、パチンコ機等の弾球遊技機でもよく、要するに、本発明は、内蔵する装置の動作制御する制御回路が形成された回路基板を備えた遊技機全般に適用できる。
【符号の説明】
【０１０８】
1    遊技機であるスロットマシン
4E   遊技装置及び媒体取外報知手段としての液晶表示装置
16    制御基板としての副制御基板
16E   報知動作制御手段としての画像処理部
17    記憶媒体としてのＲＯＭ
18    媒体取外検出手段であるＲＯＭ着脱センサ
30    媒体取外監視ユニット
31    封止手段としてのケース部
41    媒体取外監視手段であるＣＰＵ
41A   監視ユニット側記憶部としてのＲＡＭ
42    発振器及び発振数カウンタを備えた計数値処理部としてのＲＴＣ
43    電力供給源としての二次電池
45    監視ユニット取外判定手段としてのＣＰＵ
45B   制御手段側記憶部としてのＲＡＭ
45C   記憶値要求手段を兼用する記憶値比較手段である比較演算部
【図１】
0005473082.tif 000002
【図２】
0005473082.tif 000003
【図３】
0005473082.tif 000004
【図４】
0005473082.tif 000005
【図５】
0005473082.tif 000006
【図６】
0005473082.tif 000007
【図７】
0005473082.tif 000008
【図８】
0005473082.tif 000009
【図９】
0005473082.tif 000010
【図１０】
0005473082.tif 000011